(57)【要約】【課題】携帯オーディオユニットに対応した接続ユニットと車載オーディオ装置との間の複数の通信規格に対応可能な車載オーディオ装置の接続ユニットの提供。【解決手段】車載オーディオ装置１と携帯オーディオユニット２とを接続する接続ユニット３であって、接続ユニット３と車載オーディオ装置１との間の制御信号の通信規格を判定する通信規格判定手段３１と、通信規格が当該接続ユニット３と車載オーディオ装置１とを車内通信ネットワーク４を介して接続するものである場合に使用される第１インタフェース３２と、通信規格が当該接続ユニット３と車載オーディオ装置１とを専用ライン７で直接接続するものである場合に使用される第２インタフェース３３と、通信規格判定手段３１の判定結果に応じて第１及び第２インタフェース３２及び３３の一方を選択する切替手段３４とを備える。【選択図】図１
2009143411.tif 000002
【特許請求の範囲】
【請求項１】
車載オーディオ装置と携帯オーディオユニットとを接続する接続ユニットであって、
当該接続ユニットと前記車載オーディオ装置との間の制御信号の通信規格を判定する通信規格判定手段と、
前記通信規格が当該接続ユニットと前記車載オーディオ装置とを車内通信ネットワークを介して接続するものである場合に当該接続ユニットと前記携帯オーディオユニットとの接続に使用される第１インタフェースと、
前記通信規格が当該接続ユニットと前記車載オーディオ装置とを専用ラインで直接接続するものである場合に当該接続ユニットと前記携帯オーディオユニットとの接続に使用される第２インタフェースと、
前記通信規格判定手段の判定結果に応じて、前記第１及び第２インタフェースの一方を選択する切替手段と、
を備えることを特徴とする車載オーディオ装置の接続ユニット。
【請求項２】
前記通信規格判定手段は、前記第１又は第２インタフェースを使用した前記車載オーディオ装置との通信の成否によって前記通信規格を判定する、
ことを特徴とする請求項１記載の車載オーディオ装置の接続ユニット。
【発明の詳細な説明】
【技術分野】
【０００１】
本発明は、車載オーディオ装置の接続ユニットに係り、より詳細には、携帯オーディオユニットとの複数の通信規格に対応可能な車載オーディオ装置の接続ユニットに関する。
【背景技術】
【０００２】
従来、ｉＰｏｄ（登録商標）等の携帯オーディオユニットをカーステレオ等の車載オーディオ装置に接続し、携帯オーディオユニットに記憶されている音楽等のオーディオデータを車載オーディオ装置で再生することが一般に行われている（特許文献１）。
【０００３】
また、携帯オーディオユニットを車載オーディオ装置に接続するためには、通常、携帯オーディオユニットに対応した接続ユニットが必要とされる。
【０００４】
【特許文献１】特開２００７−２６５９８号公報
【発明の開示】
【発明が解決しようとする課題】
【０００５】
ところで、車載オーディオ装置と接続ユニットとの間で制御信号を伝達するための通信規格として、車載オーディオ装置によって異なる規格が採用されている。このため、ユーザの所有する車両に搭載されている車載オーディオ装置によっては、その車載オーディオ装置の通信規格と、携帯オーディオユニットに対応する接続ユニットの通信規格とが異なる場合がある。かかる場合、接続ユニットを介して車載オーディオ装置と携帯オーディオユニットとを接続することは困難である。また、かかる場合、ユーザが車載オーディオ装置を他の通信規格のものに買い換えずとも、携帯オーディオユニットとの接続が実現されることが望ましい。
【０００６】
そこで、本発明は、携帯オーディオユニットに対応した接続ユニットと車載オーディオ装置との間の複数の通信規格に対応可能な車載オーディオ装置の接続ユニットを提供することを目的としている。
【課題を解決するための手段】
【０００７】
上記の目的を達成するため、本発明の車載オーディオ装置の接続ユニットによれば、車載オーディオ装置と携帯オーディオユニットとを接続する接続ユニットであって、当該接続ユニットと前記車載オーディオ装置との間の制御信号の通信規格を判定する通信規格判定手段と、前記通信規格が当該接続ユニットと前記車載オーディオ装置とを車内通信ネットワークを介して接続するものである場合に当該接続ユニットと前記携帯オーディオユニットとの接続に使用される第１インタフェースと、前記通信規格が当該接続ユニットと前記車載オーディオ装置とを専用ラインで直接接続するものである場合に当該接続ユニットと前記携帯オーディオユニットとの接続に使用される第２インタフェースと、前記通信規格判定手段の判定結果に応じて、前記第１及び第２インタフェースの一方を選択する切替手段と、を備えることを特徴としている。
【０００８】
このように、本発明の車載オーディオ装置の接続ユニットによれば、携帯オーディオユニットに対応した接続ユニットと車載オーディオ装置との間の複数の通信規格に対応することができる。
【０００９】
また、本発明にいおいて好ましくは、前記通信規格判定手段は、前記第１又は第２インタフェースを使用した前記車載オーディオ装置との通信の成否によって前記通信規格を判定する。
これにより、容易かつ確実に通信規格が判定される。
【発明を実施するための最良の形態】
【００１０】
以下、添付の図面を参照して、本発明の車載オーディオ装置の接続ユニットの実施形態を説明する。
本実施形態の車載オーディオ装置の接続ユニット３は、車載オーディオ装置１と携帯オーディオユニット２とを接続するものである。接続ユニット３と車載オーディオ装置１との間の制御信号の通信規格には、車内通信ネットワークを利用して、接続ユニット３と車載オーディオ装置１とを接続するものと、接続ユニット３と車載オーディオ装置１とを専用ラインで直接接続するものとがある。
【００１１】
図１（ａ）は、車内通信ネットワークを利用する通信規格の場合の本発明の第実施形態の車載オーディオ装置の接続ユニットの模式図であり、図１（ｂ）は、専用ラインを利用する通信規格の場合の本発明の第実施形態の車載オーディオ装置の接続ユニットの模式図である。
【００１２】
図１（ａ）に示す例では、車内通信ネットワークとしてのＣＡＮ（car area network）−ＢＵＳ４及び制御信号ライン５を介して、車載オーディオ装置１と接続ユニット３とが接続されている。また、図１（ｂ）に示す例では、車載オーディオ装置１と接続ユニット３とが、専用ラインとしての専用ＢＵＳ７で直接接続されている。
なお、携帯オーディオユニット２に記録されている音楽等のオーディオデータは、音声信号ライン６を介して、接続ユニット３から車載オーディオ装置１へ送られる。
【００１３】
図１（ａ）及び図１（ｂ）に示すように、接続ユニット３は、当該接続ユニット３と車載オーディオ装置１との間の制御信号の通信規格を判定する通信規格判定手段３１と、通信規格が当該接続ユニット３と車載オーディオ装置１とを車内通信ネットワーク４を介して接続するものである場合に当該接続ユニット３と携帯オーディオユニット１との接続に使用される第１インタフェース３２と、通信規格が当該接続ユニット３と車載オーディオ装置１とを専用ライン７で直接接続するものである場合に当該接続ユニット３と携帯オーディオユニット１との接続に使用される第２インタフェース３３と、通信規格判定手段３１の判定結果に応じて、第１及び第２インタフェース３２及び３３の一方を選択する切替手段３４とを備えている。
【００１４】
接続ユニット３の有するこれらの手段の機能は、例えば、所定のプログラムを接続ユニットに内蔵されたマイクロコンピュータで実行することにより実現される。
【００１５】
そして、接続ユニット３は、図１（ａ）に示す例では、通信規格判定手段３は、通信規格が車内通信ネットワーク４を利用するものであると判定し、その結果、切替手段３４は、第１インタフェース３２を選択している。一方、図１（ｂ）に示す例では、通信規格判定手段３は、通信規格が専用ライン７を利用するものであると判定し、その結果、切替手段３４は、第２インタフェースを選択している。
【００１６】
通信規格判定手段３は、通信規格を、第１又は第２インタフェース３２又は３３を使用した車載オーディオ装置１との通信の成否によって判定する。すなわち、第１インタフェース３２及び第２インタフェース３３をそれぞれ選択して、接続ユニット３から車載オーディオ装置１へ制御信号を送信し、車載オーディオ装置１から制御信号の応答が帰ってきた方のインタフェースによって、通信規格を判定する。これにより、容易かつ確実に通信規格が判定される。
【００１７】
このように、本実施形態の車載オーディオ装置１の接続ユニット３によれば、互いに異なる通信規格にそれぞれ対応する第１及び第２インタフェース３２及び３３を備え、通信規格に応じて、これらインタフェースが選択される。これにより、携帯オーディオユニットに対応した接続ユニットと、車載オーディオ装置との間の複数の通信規格に対応することができる。
【００１８】
上述した各実施形態においては、本発明を特定の条件で構成した例について説明したが、本発明は種々の変更及び組み合わせを行うことができ、これに限定されるものではない。例えば、上述の実施形態では、２種類のインタフェースを設けた例について説明したが、本発明では、３つ以上のインタフェースを設けてもよい。
【図面の簡単な説明】
【００１９】
【図１】（ａ）は、車内通信ネットワークを利用する場合の本発明の第実施形態の車載オーディオ装置の接続ユニットの模式図であり、（ｂ）は、専用ラインを利用する場合の本発明の第実施形態の車載オーディオ装置の接続ユニットの模式図である。
【符号の説明】
【００２０】
１  車載オーディオ装置
２  携帯オーディオユニット
３  接続ユニット
３１  通信規格判定手段
３２  第１インタフェース
３３  第２インタフェース
３４  切替手段
４  ＣＡＮ−ＢＵＳ
５  制御信号ライン
６  音声信号ライン
７  専用ライン
【図１】
2009143411.tif 000003